(57)【要約】【課題】磁石収納箱４７を透き通すことによって元管１や活管継手３の内部に溜まる切粉４５の磁石吸着による除去作業がきわめて効率よく的確に行える活管継手における切粉除去装置を提供する。【解決手段】磁石収納箱４７の周側壁４７ａが内部を透視可能な材料で形成され、かつ該磁石収納箱４７の底がシャッター３１の開閉部の上部に連通するよう開放状に形成されるとともに、磁石収納箱４７の上部を塞いだ上蓋５１に、先端に切粉吸着用の磁石４８を備えた可撓性ワイヤー４９が摺動自在に貫通されている。【選択図】      図８
2004160626.tif 000002
【特許請求の範囲】
【請求項１】
磁性金属製の元管の円周一部にホールソーにより穿孔を形成するときに生じる切粉を除去する活管継手における切粉除去装置であって、
前記活管継手が、前記ホールソーの出し入れを可能にする穿孔操作口を有し、前記元管の軸方向一部を抱合しており、
前記穿孔操作口に、該穿孔操作口を開閉するシャッターが取り付けられ、このシャッターの開閉部の上部に磁石収納箱が取り付けられており、
前記磁石収納箱はこれの周側壁が内部を透視可能な材料で形成され、かつ該磁石収納箱の底が前記シャッターの開閉部の上方に連通するよう開放状に形成されるとともに、該磁石収納箱の上部を塞いだ上蓋に、先端に切粉吸着用の磁石を備えた可撓性ワイヤーが摺動自在に貫通されていることを特徴とする、活管継手における切粉除去装置。
【請求項２】
前記磁石収納箱が前記シャッターの開閉部の上部に着脱可能に取り付けられている、請求項１記載の活管継手における切粉除去装置。
【請求項３】
前記可撓性ワイヤーはアウターワイヤーとこの内部に通されたインナーワイヤーからなり、アウターワイヤーの先端部に非磁性材よりなる有底状の筒型ホルダーの底とは反対側の後端部が一体的に結合され、該筒型ホルダーの内部にはインナーワイヤーの先端部に一体的に結合した磁石本体が、インナーワイヤーの押動・牽引作用に伴って前記筒型ホルダーの底内面に対し接離移動するように収納されている、請求項１又は２記載の活管継手における切粉除去装置。
【請求項４】
前記磁石収納箱に切粉溜め部を設けている、請求項１ないし３のいずれかに記載の活管継手における切粉除去装置。
【請求項５】
前記切粉溜め部が前記磁石収納箱の内部に着脱可能に設けられている、請求項４記載の活管継手における切粉除去装置。
【発明の詳細な説明】
【０００１】
【発明の属する技術分野】
本発明は、都市ガスの埋設供給配管等の磁性金属製の元管にホールソーにより穿孔を加えるとともに該元管と分岐管を連通状に接続する活管継手において、ホールソーによる穿孔後に取り付けられて穿孔により生じた切粉を除去するのに使用される切粉除去装置に関する。
【０００２】
【従来の技術】
この種の活管継手としては、例えば、図１３、図１４に示すようなものが公知である。図１３は穿孔途上の状態を、図１４は穿孔終了直後の状態を示している。その活管継手は一対の第１，２分割継手４，５からなって、元管１に分岐管２を接続するのに用いられる。その際、元管１の軸方向一部を一対の第１，２分割継手４，５で気密状に抱合し、第２分割継手５の分岐管接続口１３に分岐管２を接続する。第２分割継手５に形成されている穿孔操作口１４には電動穿孔機（図示省略）と連結されるホールソー２０をセットする。かくして、ホールソー２０を元管１の垂直中立面ＨＣＬより偏心した位置で回転させながら垂直中立面ＨＣＬに平行に下降させることにより、元管１の周壁一部を切除して元管１に穿孔４３を分岐管２に臨むよう形成する、というものである（例えば、特許文献１参照。）。
【０００３】
【特許文献１】
実用新案登録第２５２４６４５号公報
【０００４】
ところで、穿孔後、図１４に示すように、元管１から切除された切削片４４はホールソー２０内に残されるが、この切削片４４は、ホールソー２０内に備えられている防振ゴムよりなる弾性部材２４、垂直軸２５及び握り玉２６で構成される切削片保持具２３とホールソー２０の周壁内面との間で挟持することになり、この状態でホールソー２０を穿孔操作口１４から引き上げることによって切削片４４を外部に取り出すことができる。
しかしながら、元管１に穿孔４３を形成することにより生じる切粉４５は元管１の内部や第２分割継手５の内底部などに溜まったまま残されるという問題点があった。
【０００５】
【発明が解決しようとする課題】
かかる切粉の除去装置として、図示省略するが、たとえば、先端に磁石を取り付けた磁石棒と、この磁石棒を上下方向に貫通状にセットしてなる底開放状の磁石収納箱からなる切粉除去工具を用意し、穿孔操作口１４の上に該穿孔操作口１４を開閉するシャッター３１を取り付けたうえで、このシャッター３１の開閉部の上に前記切粉除去工具を取り付けるという切粉除去装置が公知である。元管１の偏心穿孔後、前記切粉除去工具を用いて元管１や第２分割継手５の内部に溜まった切粉４５を除去するには、▲１▼シャッター３１を開にし、▲２▼磁石を磁石棒で元管１や第２分割継手５の内部に挿入し、切粉を吸着する。吸着後、▲３▼磁石棒を引き上げ、シャッター３１を閉にする。かくして、▲４▼磁石収納箱を取り外し、磁石から切粉を取り除き、再び磁石収納箱を取り付ける。磁石に切粉が付かなくなるまで、▲１▼〜▲４▼の操作を繰り返す。切粉の除去後はシャッター３１を閉にして切粉除去工具を取り外す。
【０００６】
しかるに、磁石吸着による上記切粉除去装置では、磁石収納箱が不透明材で構成されていて元管１や第２分割継手５の内部を覗いて見ることができないため、磁石による切粉除去作業は手探りで行われていた。したがって、切粉除去の作業効率が悪いばかりか、切粉を残すことがあり十分な除去効果を期することができなかった。
【０００７】
そこで本発明の目的は、上記のような磁石吸着による切粉除去装置において磁石収納箱を透し通して活管継手や元管の内部が見えるようにし、以って切粉を効率よく的確に除去できる、活管継手における切粉除去装置を提供することにある。
【０００８】
【課題を解決するための手段】
本発明は、磁性金属製の元管（１）の円周一部にホールソー（２０）により穿孔（４３）を形成するときに生じる切粉を除去する活管継手（３）における切粉除去装置であって、前記活管継手（３）が、ホールソー（２０）の出し入れを可能にする穿孔操作口（１４）を有し、元管（１）の軸方向一部を抱合しており、前記穿孔操作口（１４）に、該穿孔操作口（１４）を開閉するシャッター（３１）が取り付けられ、このシャッター（３１）の開閉部の上部に磁石収納箱（４７）が取り付けられている。
そのうえで、本発明の切粉除去装置は、前記磁石収納箱（４７）の周側壁（４７ａ）が内部を透視可能な材料で形成され、かつ該磁石収納箱（４７）の底が前記シャッター（３１）の開閉部の上部に連通するよう開放状に形成されるとともに、磁石収納箱（４７）の上部を塞いだ上蓋（５１）に、先端に切粉吸着用の磁石（４８）を備えた可撓性ワイヤー（４９）が摺動自在に貫通されていることに特徴を有するものである。
【０００９】
一つの好適な態様として、本発明の活管継手における切粉除去装置は、磁石収納箱（４７）がシャッター（３１）の開閉部の上部に着脱可能に取り付けることができる。
また、可撓性ワイヤー（４９）はアウターワイヤー（５４）とこの内部に通されたインナーワイヤー（５５）により構成し、アウターワイヤー（５４）の先端部に非磁性材よりなる有底状の筒型ホルダー（５６）の底（５６ａ）とは反対側の後端部が一体的に結合され、該筒型ホルダー（５６）の内部にはインナーワイヤー（５５）の先端部に一体的に結合した磁石本体（５７）が、インナーワイヤー（５５）の押動・牽引作用に伴って前記筒型ホルダー（５６）の底（５６ａ）の内面に対し接離移動するように収納されるものとすることができる。
また、磁石収納箱（４７）の内部には切粉溜め部（５３）を設けることができる。この場合、切粉溜め部（５３）は磁石収納箱（４７）に対し着脱可能に設けることもできる。
【００１０】
【作用】
上記構成の切粉除去装置によれば、シャッターを開にし、磁石を可撓性ワイヤーで元管や活管継手の内部に挿入して切粉を吸着する。その際、内部を透視可能な材料で形成されている磁石収納箱の周側壁を透して活管継手や元管の内部を見ながら切粉を吸着できるので、切粉を効率よく的確に除去できる。また、可撓性ワイヤーは屈曲させることにより磁石を元管や活管継手の内部の目的場所に導き易い。切粉吸着後は、可撓性ワイヤーを引き上げ、シャッターを閉にし、磁石から切粉を取り除く。
【００１１】
可撓性ワイヤーはアウターワイヤーとこの内部に通されたインナーワイヤーにより構成し、アウターワイヤーの先端部に非磁性材よりなる筒型ホルダーを接続し、該筒型ホルダーの中にインナーワイヤーの先端部に一体的に結合した磁石本体をワイヤー長手方向に移動自在に収納してあると、切粉吸着時にインナーワイヤーを押し磁石本体を筒型ホルダー内で前進させて該ホルダーの底の内面に当接ないし近接させた状態下で切粉に近づけると切粉は磁力により筒型ホルダーの底の外面に吸着し、吸着後、可撓性ワイヤーを引き上げた後にインナーワイヤーのみを引いて磁石本体を筒型ホルダー内で後退させて該ホルダーの底の内面から離すと、磁力が働かなくなり切粉が筒型ホルダーの底の外面から落下する。したがって、人手により切粉を磁石から取り除く手間が省ける。
【００１２】
また、磁石収納箱の内部に切粉溜め部を設けていると、切粉吸着後、磁石を磁石収納箱の内部にまで引き上げて、切粉を切粉溜め部に落下させて溜めることができる。したがって、前述した従来のように、吸着後、磁石を引き上げ、シャッターを閉にして、磁石収納箱を取り外し、磁石から切粉を取り除き、再び磁石収納箱の取り付け及びシャッターの開操作を行って切粉を吸着するという数回の磁石収納箱の着脱操作を繰り返す必要が無くなるため、それだけ切粉除去作業が更に能率よく行える。
【００１３】
【発明の実施の形態】
本発明の好適な実施形態を図１ないし図１２に基づき説明する。
【００１４】
図１において、１は鉄管又は鋳鉄管などによる磁性金属製の元管、２はポリエチレン管などによる分岐管、３は活管継手である。
【００１５】
活管継手３は、一対の第１，２分割継手４，５と、この第１，２分割継手４，５同士を結合するボルト６及びナット７等による締結部材とからなる。第１分割継手４は元管１の軸方向一部の円周一側部に当接する凹円弧状の元管当接面８ａを有する断面円弧形状の継手本体８と、この継手本体８の上下端に張り出した鍔９，９とを備え、鍔９，９にボルト通孔１０，１０を設けている。
【００１６】
第２分割継手５は、略逆Ｔ字管状の継手本体１１を有し、この継手本体１１の水平方向一端に前記元管１の円周他側部に当接する凹円弧状の元管当接口１２を、水平方向他端に分岐管接続口１３をそれぞれ開口するとともに、継手本体１１の元管当接口１２と分岐管接続口１３間の中間部の上方壁に穿孔操作口１４を開口している。第１分割継手４の上下の鍔９，９と対向する第２分割継手５の元管当接口１２の上下の開口端部には、ボルト６，６をそれぞれ植込み固定している。
【００１７】
いま、上記構成の活管継手３を用いて分岐取出しを行うにあたって、図１に示すように、第１分割継手４の元管当接面８ａを元管１の或る箇所の円周一側部に、第２分割継手５の元管当接口１２を元管１の同一箇所の円周他側部にそれぞれ当接させると、第１分割継手４と第２分割継手５が元管１の軸方向一部を抱合し、第２分割継手５側のボルト６を第１分割継手４側のボルト通孔１０に挿通し、該ボルト６の先端にナット７を締め付けることにより第１，２分割継手４，５同士が締結される。その際、第２分割継手５の元管当接口１２の内面と元管１の円周一部との当接面間にはゴム等によるシール材１５を介在させて気密状に当接させる。
【００１８】
この第１，２分割継手４，５の取り付けにより元管１の垂直中立面ＨＣＬから図面右側に偏心した円周一部（後工程で穿孔される箇所）が穿孔操作口１４の下方に臨む状態が得られる。第２分割継手５の分岐管接続口１３には分岐管２の端部が接続される。
【００１９】
次に、上記のように元管１及び分岐管２に取り付けた活管継手３にホールソー２０をセットする。
図１において、ホールソー２０は、下端に切削刃部２１ａを形成した円筒状本体部２１と、この円筒状本体部２１の上端に同心に一体に連設されたシャンク部２２とからなる。円筒状本体部２１内には切削片保持具２３が備えられている。切削片保持具２３は、円筒状本体部２１内に防振ゴムやコイルばね等の弾性部材２４を介して垂直軸２５が同心にかつ揺動自在に垂下状に取り付けられ、この垂直軸２５の下端部の定位置に硬質のゴム又は樹脂製の握り玉２６を取り付けてなる。
【００２０】
ホールソー２０は穿孔カバー２７の内部に組み込まれる。穿孔カバー２７は、ホールソー２０の円筒状本体部２１の外径より大きい円筒形状に形成され、その開口上端は上蓋２８で密封状に塞がれ、その開放下端は鍔付きの環状固定台２９にねじ込み結合されている。この穿孔カバー２７の内部にホールソー２０を組み込むとき、ホールソー２０のシャンク部２２を上蓋２８の中央孔に回転自在にかつ軸方向に摺動自在に貫通させて上方へ突出させる。
【００２１】
穿孔カバー２７の環状固定台２９は穿孔操作口１４の上にシャッター３１を介して取り付けられ、これによりホールソー２０が第２分割継手５の穿孔操作口１４の上部にセットされる。
【００２２】
シャッター３１は穿孔操作口１４を開閉するシャッター板３２を水平方向にスライド自在に備えている。シャッター３１は穿孔操作口１４の上側に台座３３をもって固定される。
【００２３】
台座３３は、図５及び図６に示すように、円周一部に切離部３４を有して拡縮径自在な環状に形成されるとともに、外周の数箇所（図示例では３箇所）からねじ孔３５を有する張出部３６が水平に張出し形成され、切離部３４にはハンドルねじ３７が直交状に取り付けられている。台座３３の上面におけるねじ孔３５の近傍には、図６の（ａ）に示すごとくスペーサー用のねじ７０をセットしている。そのスペーサー用のねじ７０に代えて、図６の（ｂ）に示すように、台座３３の上面にスペーサー用の環状ボス７１を設けることもできる。図３、図４に示すように、この台座３３は穿孔操作口１４の外周壁３８の段部３９上に下方移動阻止状態に嵌め込まれ、ハンドルねじ３７を締めることにより第２分割継手５に水平に固定される。かくして、穿孔操作口１４の開口上端部に台座３３と平行になるよう載置されるシャッター３１は、図７に示すように、それの外周の数箇所から前記張出部３６に対応する張出部４０を水平に張出し形成し、この張出部４０のボルト通し孔４１に通される取付ボルト４２の下端部を台座３３の張出部３６のねじ孔３５にねじ込むことによりシャッター３１は穿孔操作口１４の開口上端部に安定よく強固に固定される。
【００２４】
次に、上記のようにセットされたホールソー２０によって図８に示すごとく元管１に穿孔４３を形成する要領について説明する。
シャンク部２２に電動穿孔機（図示省略）を連結したうえで、図２に示すように、ホールソー２０を元管１の垂直中立面ＨＣＬから図面右側に偏心した位置で、回転させながら垂直中立面ＨＣＬに平行に下降させる。このホールソー２０の下降に伴い切削刃部２１ａが元管１の水平中立面ＬＣＬより上側領域の表面に当接して切削が開始され、握り玉２６が前記領域の表面に擦接する。
【００２５】
ホールソー２０の下降に応じて切削が進むにつれて、握り玉２６が元管１の水平中立面ＬＣＬより上側領域の表面上に擦接しながら下降し、弾性部材２４の弾性に抗して、該弾性部材２４を支点にして垂直軸２５を元管１の径方向外方に傾かせ、握り玉２６が元管１の水平中立面ＬＣＬに対応する位置まで下降することによって、握り玉２６が最大偏心量で垂直中立面ＨＣＬから偏心し、かつ垂直軸２５が最大傾斜角で揺動する位置に達することになる。
【００２６】
さらにホールソー２０が下降して行くに伴って、握り玉２６は水平中立面ＬＣＬより下側領域の表面に擦接しながら下降し、弾性部材２４の弾性復元力によって垂直軸２５と共に揺動復帰する。
【００２７】
このようにホールソー２０が回転しながら下降することによって元管１に穿孔４３が形成されるが、この穿孔４３の形成により発生する切削片４４は、図２に示すごとく握り玉２６により円筒状本体部２１の周壁内面に押し付けられ、該円筒状本体部２１の周壁内面と握り玉２６との間で確実に挟持される。また穿孔４３の形成により発生する切粉４５は、図８に示すように、元管１の内部や第２分割継手５の内底および分岐管２の近傍などに落下して溜まる。
【００２８】
穿孔４３の形成が終了すると、ホールソー２０を切削片４４ごと穿孔カバー２７内にまで引き上げる。この引上げ後シャッター３１を閉にし、穿孔カバー２７をホールソー２０ごとシャッター３１から取り外す。
【００２９】
次いで、切粉４５の除去作業に移るが、この作業に際しては、本発明の切粉除去装置４６が採用される。図８に示すように、切粉除去装置４６は、磁石収納箱４７と、先端に切粉吸着用の磁石４８を備えた可撓性ワイヤー４９により構成される。磁石収納箱４７はこれの周側壁４７ａが内部を透視可能な材料、例えば透明なアクリル樹脂等で成形され、周側壁４７ａの開放下端は鍔付きの環状固定台５０にねじ込み結合される。磁石収納箱４７の上部は上蓋５１で密封状に塞がれ、この上蓋５１はねじ５２で着脱可能に取り付けられる。磁石収納箱４７の内部には切粉溜め部５３が設けられる。切粉溜め部５３は、図１２に示すごとく磁石収納箱４７の内部に着脱可能に装着することもできる。いずれにしても切粉溜め部５３は、磁石収納箱４７の周側壁４７ａを透し通して第２分割継手５や元管１の内部を見る視界の邪魔にならないように磁石収納箱４７の内部に設ける必要があることは言うまでもない。
【００３０】
図８に示すように、先端に切粉吸着用の磁石４８を備えた可撓性ワイヤー４９は上蓋５１に摺動自在に貫通されて磁石４８を磁石収納箱４７の内部に収納する。可撓性ワイヤー４９はウレタンチューブ等のアウターワイヤー５４とこの内部に通された撚線等よりなるインナーワイヤー５５からなる。図９（ａ）に示すように、アウターワイヤー５４の先端部には真鍮等の非磁性材よりなる有底状の筒型ホルダー５６の底５６ａとは反対側の後端部が一体的に結合され、該筒型ホルダー５６の中にインナーワイヤー５５の先端部に一体的に結合した永久磁石よりなる磁石本体５７が、インナーワイヤー５５の押動・牽引作用に伴って筒型ホルダー５６の底５６ａの内面に対し接離移動するように収納されている。
【００３１】
切粉４５の除去作業に際しては、図８に示すように、閉状態にしたシャッター３１の上側に磁石収納箱４７をこの開放底がシャッター３１の開閉部の上方に連通するように取り付ける。かくして、シャッター３１を開にしたうえで、図８に二点鎖線Ｆで示すように、可撓性ワイヤー４９で磁石４８を元管１や第２分割継手５の内部に挿入して切粉４５を吸着する。この切粉吸着時、図９（ａ）に示すごとくインナーワイヤー５５を押動し磁石本体５７を筒型ホルダー５６の底５６ａの内面に当接ないし近接させた状態下で切粉４５に近づけると、切粉４５は磁力により筒型ホルダー５６の底５６の外面側に吸着する。その際、磁石収納箱４７の周側壁４７ａは内部を透視可能な材料で形成されているので、その周側壁４７ａを透し通して第２分割継手５や元管１の内部を見ながら切粉を吸着できるので、効率よく的確に切粉を除去できる。また、可撓性ワイヤー４９は屈曲させることにより磁石４８を変向自在とするので、磁石４８を元管１や第２分割継手５の内部の目的場所に容易に導くことができる。
【００３２】
切粉吸着後は、図８に実線で示すごとく可撓性ワイヤー４９で磁石４８を磁石収納箱４７の内部にまで引き上げ、シャッター３１を閉にし、筒型ホルダー５６の底５６ａの外面側に吸着している切粉４５を切粉溜め部５３に落下させて溜める。その際、図９（ｂ）に示すごとく可撓性ワイヤー４９のインナーワイヤー５５のみを牽引して磁石本体５７を筒型ホルダー５６の底５６ａの内面から離すことにより、磁力が働かなくなるため、切粉４５が筒型ホルダー５６の底５６ａの外面から切粉溜め部５３内に自然落下する。したがって、人手により切粉４５を磁石４８から取り除く手間が省ける。
【００３３】
このように切粉４５を磁石収納箱４７内の切粉溜め部５３に一時的に溜めることにより、切粉４５を吸着して引き上げる都度、シャッター３１を閉にして、磁石収納箱４７をシャッター３１から取り外し、磁石４８から切粉４５を取り除き、再び磁石収納箱４７の取り付け及びシャッター３１の開操作を行って切粉４５を吸着するという数回の磁石収納箱４７の着脱操作を繰り返す必要が無くなるため、それだけ切粉除去作業が能率よく行える。また、切粉除去装置４６は切粉除去作業の終了後に取り外し、切粉除去作業中では取り外す必要がないため、切粉４５の大気中への放散問題も無くなる。
【００３４】
切粉除去後は磁石収納箱４７を利用して穿孔操作口１４に対するプラグ５８の仮締めが行われ、最後にプラグ５８の本締めが行われる。
プラグ５８の仮締めに際しては、磁石収納箱４７から可撓性ワイヤー４９を貫通支持した上蓋５１を取り外して、図１０に示すように、穿孔操作口１４を塞ぐための金属製のプラグ５８を備えた上蓋５９と取り替える。その上蓋５９にはハンドル６０が貫通支持され、該ハンドル６０の下端には磁石６１を内蔵した皿形状のホルダー６２が付けられている。プラグ５８はこれの外周の溝にＯリング等のシールリング６３を嵌め込むとともに、下端部外周に雄ねじ５８ａを設けており、このプラグ５８はハンドル６０の下端のホルダー６２に吸着状態に保持される。
【００３５】
かくして、図１１に示すように、シャッター３１を開にし、ハンドル６０の押下げ操作でプラグ５８がシールリング６３を穿孔操作口１４の開口上端部の面取り内周面１４ａに圧縮状態に達するまで押下げられ、更にハンドル６０を少し回転させることでプラグ５８の雄ねじ５８ａが穿孔操作口１４の雌ねじ６４の上端部に軽くねじ込まれる。このプラグ５８の仮締めにより穿孔操作口１４はシールリング６３を介して気密状にシールされる。このプラグ５８の仮締め力はホルダー６２の磁石６１によるプラグ５８の保持力よりも強くしてある。
したがって、この仮締め後は、磁石収納箱４７を上蓋５９ごとシャッター３１から取り外してからシャッター３１を第２分割継手５から取り外すか、または第２分割継手５から台座３３を磁石収納箱４７及びシャッター３１ごと取り外すことができる。
最後に、プラグ５８は穿孔操作口１４の雌ねじ６４に完全に締め付ける本締めが行われることによって、穿孔操作口１４が完全に気密状にシールされる。これにて全作業を終了する。
【００３６】
なお、上記実施例ではホールソー２０の円筒状本体部２１内に切削片保持具２３を備えてこの切削片保持具２３で切削片を取り出すようにしてあるが、これに限られず、切削片４４の取り出しは別途の磁石で吸着して取り出すこともできる。勿論、この場合は円筒状本体部２１内に切削片保持具２３を備える必要のないことはいうまでもない。
【００３７】
【発明の効果】
本発明によれば、磁石収納箱を透き通すことによって元管や活管継手の内部に溜まる切粉の磁石吸着による除去作業がきわめて効率よく的確に行えるという利点がある。
【図面の簡単な説明】
【図１】本発明の一実施例の活管継手にホールソーをセットした状態の縦断正面図である。
【図２】図１のホールソーにより元管に穿孔を形成した終了直後の状態の縦断正面図である。
【図３】図１の活管継手の穿孔操作口へのシャッターの取付け状態を示す縦断正面図である。
【図４】図１の活管継手の穿孔操作口へのシャッターの取付け状態を示す縦断側面図である。
【図５】図１の活管継手の台座の平面図である。
【図６】（ａ）は図５におけるＡ−Ｏ−Ｂ線断面図、（ｂ）は図６の（ａ）の台座の変形例を示す断面図である。
【図７】図１の活管継手のシャッターの平面図である。
【図８】図１の活管継手の穿孔操作口からホールソーを取り外し、穿孔操作口に切粉除去装置を取付けた状態の縦断正面図である。
【図９】（ａ）は図１の活管継手に使用する磁石の吸着状態を示す断面図、（ｂ）は磁石の吸着解除状態を示す断面図である。
【図１０】図１の活管継手の穿孔操作口にプラグを仮締めする前の状態を示す縦断正面図である。
【図１１】図１の活管継手の穿孔操作口にプラグを仮締め後の状態を示す縦断正面図である。
【図１２】他の実施例を示す磁石収納箱の縦断正面図である。
【図１３】従来例の活管継手を穿孔途上状態で示す縦断正面図である。
【図１４】図１３の活管継手を穿孔終了直後の状態で示す縦断正面図である。
【符号の説明】
１  元管
２  分岐管
３  活管継手
１４  穿孔操作口
３１  シャッター
４３  穿孔
４７  磁石収納箱
４７ａ  磁石収納箱の周側壁
４８  磁石
４９  可撓性ワイヤー
５１  上蓋
５３  切粉溜め部
５４  アウターワイヤー
５５  インナーワイヤー
５６  筒型ホルダー
５６ａ  筒型ホルダーの底
５７  磁石本体
【図１】
2004160626.tif 000003
【図２】
2004160626.tif 000004
【図３】
2004160626.tif 000005
【図４】
2004160626.tif 000006
【図５】
2004160626.tif 000007
【図６】
2004160626.tif 000008
【図７】
2004160626.tif 000009
【図８】
2004160626.tif 000010
【図９】
2004160626.tif 000011
【図１０】
2004160626.tif 000012
【図１１】
2004160626.tif 000013
【図１２】
2004160626.tif 000014
【図１３】
2004160626.tif 000015
【図１４】
2004160626.tif 000016